(57)【要約】【課題】メッキ工場等から出る硫酸銅を主成分とした排水等は従来主に、薬品にて処理されてきた。薬品を、極力使用せず、効率的に硫酸銅を主成分とする排水を処理する。【解決手段】上記の問題は、硫酸銅を主成分とする排水等を効率的に、薬品を極力使用せず、処理するという意味で、アルミ板を電極とした電気分解法にての処理と、従来廃棄物として処理されていたアルミ板を電極として使用することでさらに効率的な処理方法となる。【選択図】  図−１
2005238216.tif 000002
【特許請求の範囲】
【請求項１】
プリント基盤工場及びメッキ工場等から排出される銅を主成分とする排水に対する電気分解処理法。
【請求項２】
プリント基盤工場及びメッキ工場等から排出される脱脂排水に対する電気分解処理法。
【請求項３】
プリント基盤工場及びメッキ工場等から排出されるフラックス洗浄排水に対する電気分解処理法。
【請求項４】
プリント基盤工場及びメッキ工場等から排出されるフィルムス排水に対する電気分解処理法。
【請求項５】
プリント基盤工場及びメッキ工場等から排出される上記請求項１、２、３、４において、各種排水に対する電気分解処理法に使用する際のアルミ板電極を、プリント基盤の穴開けの際使用されるアルミ板を使用する。
【発明の詳細な説明】
【発明の詳細な説明】
【技術分野】
【０００１】  この発明は、本来廃棄されるべきアルミ板を、硫酸銅を主成分とする排水等は電気分解法にて処理されやすい。
またそれ以外のメッキ工場から排出される排水においても処理可能である。
そして、すべての事業所には当てはまらないまでも、硫酸銅を主成分とする排水等を多く排出するメッキ工場及びプリント基盤工場等は、プリント基盤の穴明けの際等に使用されるアルミ板が多く発生する。
このアルミ板は、プリント基盤の穴開けに使用された後はこれといった使用用途はない。
その硫酸銅を主成分とする排水等に対し、このアルミ板は大変有効な処理剤となるのである。
その硫酸銅を主成分とする排水等を処理する際、上記のアルミ板を電極として使用する。
さらに有効なことは、市販のアルミ板に比べ、プリント基盤の穴開けに使用したことから、多くの穴が開いている事により、表面積が、市販のものより広いというのも、大きなメリットである。
【背景技術】
【０００２】  従来、排水は凝集沈殿あるいはキレート樹脂、活性汚泥等にて処理していた。メッキ排水の電解処理は従来あまり、効率的とはいえなかった。それは、効率的に処理使用とすると電流量を増やす必要がある。そうすると、結果的にはアルミ電極の消耗が多く採算が合わなってくるため、通電量を増やしずらい状況にあった。
【発明が解決しようとする課題】
【０００３】  本発明は、硫酸銅排水を廃材としてのアルミ板を使用して処理することによって、従来より高効率に、処理薬品も節減でき、なおかつ廃材を活用することで、アルミ板の消耗コストもほとんど考えなくて良い事になる。
【課題を解決するための手段】
【０００４】  本発明は、アルミ廃材を排水の電解処理装置の電極とすることによって従来より問題になっていた電解処理に対するアルミ板の消耗コストについての問題を解決するものである。
また、本方法は硫酸銅を主体とする排水等の処理には大変有効である。
【発明を実施するための最良の形態】
【０００５】  廃材利用のアルミ板もしくは、通常市販されているアルミ板を、電解反応槽に電極板としてプラスマイナスを交互に平行に配置し、直流電流を流す。この場合マイナス側はアルミに限らず他の金属でも良い。その反応槽中に排水を定量的に流す。
【実施例】
【０００６】  本発明を実施するためには、現在排出されている硫酸銅排水を、電解槽に定量的に投入し、廃材使用のアルミ板もしくは、通常のアルミ板を、プラス極及びマイナス極、あるいは、プラス極のみで、マイナス極は他の金属を使用する。マイナス極においては、銅等の金属板を使用すれば、比較的純度の高い銅が析出する。しかしアルミ板にすると、両極とも溶解するので、マイナス極に銅はまり析出しない。そして、ある一定時間直流電流を通電した後、次の水槽にてＰＨを５〜１０程度に調整する。そうして発生したアルミ及び銅等の水酸化物を沈殿分離させ上澄を処理水とする。沈殿物の沈降がおそいようなら、ＰＨ調整後、高分子凝集剤を投入し沈殿をしやすくさせることも良い。
【発明の効果】
【０００７】  本発明は、従来薬品等にて処理をしていた、硫酸銅排水を、アルミ板を電極とした電気分解にて処理することによってより効率的な処理が可能になる。排水によるが、銅のみならず、共存する有機物も処理可能である。
また、従来廃棄されていた、電極板も再利用できるというメリットもある。
2005238216.tif 000003
【手続補正書】
【提出日】平成16年5月22日(2004.5.22)
【手続補正２】
【補正対象書類名】明細書
【補正対象項目名】全文
【補正方法】変更
【補正の内容】
【発明の詳細な説明】
【技術分野】
【０００１】  この発明は、本来廃棄されるべきアルミ板を、硫酸銅を主成分とする排水等は電気分解法にて処理されやすい。
またそれ以外のメッキ工場から排出される排水においても処理可能である。
そして、すべての事業所には当てはまらないまでも、硫酸銅を主成分とする排水等を多く排出するメッキ工場及びプリント基盤工場等は、プリント基盤の穴明けの際等に使用されるアルミ板が多く発生する。
このアルミ板は、プリント基盤の穴開けに使用された後はこれといった使用用途はない。
その硫酸銅を主成分とする排水等に対し、このアルミ板は大変有効な処理剤となるのである。
その硫酸銅を主成分とする排水等を処理する際、上記のアルミ板を電極として使用する。
さらに有効なことは、市販のアルミ板に比べ、プリント基盤の穴開けに使用したことから、多くの穴が開いている事により、表面積が、市販のものより広いというのも、大きなメリットである。
【背景技術】
【０００２】  従来、排水は凝集沈殿あるいはキレ−ト樹脂、活性汚泥等にて処理していた。メッキ排水の電解処理は従来あまり、効率的とはいえなかった。それは、効率的に処理使用とすると電流量を増やす必要がある。そうすると、結果的にはアルミ電極の消耗が多く採算が合わなってくるため、通電量を増やしずらい状況にあった。
【発明が解決しようとする課題】
【０００３】  本発明は、硫酸銅排水を廃材としてのアルミ板を使用して処理することによって、従来より高効率に、処理薬品も節減でき、なおかつ廃材を活用することで、アルミ板の消耗コストもほとんど考えなくて良い事になる。
【課題を解決するための手段】
【０００４】  本発明は、アルミ廃材を排水の電解処理装置の電極とすることによって従来より問題になっていた電解処理に対するアルミ板の消耗コストについての問題を解決するものである。
また、本方法は硫酸銅を主体とする排水等の処理には大変有効である。
【発明を実施するための最良の形態】
【０００５】  廃材利用のアルミ板もしくは、通常市販されているアルミ板を、電解反応槽に電極板としてプラスマイナスを交互に平行に配置し、直流電流を流す。この場合マイナス側はアルミに限らず他の金属でも良い。その反応槽中に排水を定量的に流す。
【実施例】
【０００６】  本発明を実施するためには、現在排出されている硫酸銅排水を、電解槽に定量的に投入し、廃材使用のアルミ板もしくは、通常のアルミ板を、プラス極及びマイナス極、あるいは、プラス極のみで、マイナス極は他の金属を使用する。マイナス極においては、銅等の金属板を使用すれば、比較的純度の高い銅が析出する。しかしアルミ板にすると、両極とも溶解するので、マイナス極に銅はまり析出しない。そして、ある一定時間直流電流を通電した後、次の水槽にてＰＨを５〜１０程度に調整する。そうして発生したアルミ及び銅等の水酸化物を沈殿分離させ上澄を処理水とする。沈殿物の沈降がおそいようなら、ＰＨ調整後、高分子凝集剤を投入し沈殿をしやすくさせることも良い。
【発明の効果】
【０００７】  本発明は、従来薬品等にて処理をしていた、硫酸銅排水を、アルミ板を電極とした電気分解にて処理することによってより効率的な処理が可能になる。排水によるが、銅のみならず、共存する有機物も処理可能である。
また、従来廃棄されていた、電極板も再利用できるというメリットもある。
【図面の簡単な説明】
【０００８】
【図−１】    図−１は本発明のフロー図である。
【符号の説明】
【０００９】
【手続補正書】
【提出日】平成16年8月26日(2004.8.26)
【手続補正１】
【補正対象書類名】図面
【補正対象項目名】全図
【補正方法】変更
【補正の内容】
【図−１】
2005238216.tif 000004